(57)【要約】【課題】壁パネルの高さ寸法の精度に影響されずに意匠性の確保された設備ユニットを組み立てることが可能な防水パンと壁パネルの接合構造の提供を課題とする。【解決手段】防水パン２０の縁部に壁パネル４０を立てた状態で接合する防水パン２０と壁パネル４０の接合構造１０において、防水パン２０の縁部に壁パネル４０の前面４０ａよりも背面側となる位置で該壁パネル４０の下縁部４０ｃよりも上側へ立ち上がった起立部２４を設け、該起立部２４よりも前側にある壁パネルの下縁部４０ｃと防水パン２０との間に高さ方向Ｄ１の隙間ＣＬ１を形成する高さで該起立部２４の上縁部２４ａに載置される被載置部５２を壁パネル４０の背面部に設け、壁パネルの下縁部４０ｃの前側を隠蔽する隠蔽部２５を防水パン２０に設ける。【選択図】図２
2010070920.tif 000002
【特許請求の範囲】
【請求項１】
防水パンの縁部に壁パネルを立てた状態で接合する防水パンと壁パネルの接合構造であって、
前記防水パンの縁部に前記壁パネルの前面よりも背面側となる位置で該壁パネルの下縁部よりも上側へ立ち上がった起立部が設けられ、該起立部よりも前側にある前記壁パネルの下縁部と前記防水パンとの間に高さ方向の隙間を形成する高さで該起立部の上縁部に載置される被載置部が前記壁パネルの背面部に設けられ、前記壁パネルの下縁部の前側を隠蔽する隠蔽部が前記防水パンに設けられていることを特徴とする防水パンと壁パネルの接合構造。
【請求項２】
前記隠蔽部の背面に前記壁パネルの前面と接触するシール材が取り付けられていることを特徴とする請求項１に記載の防水パンと壁パネルの接合構造。
【発明の詳細な説明】
【技術分野】
【０００１】
本発明は、防水パンの縁部に壁パネルを立てた状態で接合する防水パンと壁パネルの接合構造に関する。
【背景技術】
【０００２】
浴室ユニット等の設備ユニットとして、床部分となる防水パンの縁部に複数の壁パネルが立てた状態で接合されたものが知られている。これらの壁パネルは、連結部材等により連結されて設備ユニットの壁とされる。
【０００３】
図６は、特許文献１に開示された防水パンと壁パネルの接合構造を示している。この接合構造には、防水パン９０１と壁パネル９０２とハンガー９０３が設けられている。防水パン９０１の周縁部は、防水パン本体部から立ち上がった立ち上げ部９０１ａと、この立ち上げ部９０１ａの上端縁から外方へ略水平に延出した壁パネル載置部９０１ｂと、この壁パネル載置部９０１ｂの先端縁から立ち上がった立上片９０１ｃとから構成されている。壁パネル９０２は、金属板からなる壁パネル本体９０２ａと、この壁パネル本体９０２ａの下部が背面側へ折り曲げられて形成された折曲部９０２ｂと、この折曲部９０２ｂの先端縁を上方へ折り曲げて形成された起立片９０２ｃとを有している。ハンガー９０３は、壁パネル本体９０２ａと起立片９０２ｃとの間に圧入される補強部９０３ａと、この補強部９０３ａから上方へ延出した後に背面側へ折り返された形状のフック部９０３ｂとから構成されている。
【０００４】
防水パン９０１に壁パネル９０２を接合する際には、まず、防水パンの壁パネル載置部９０１ｂにゴムパッキン９０５を載せ、このゴムパッキン９０５に壁パネル９０２の下端面となる折曲部９０２ｂを当接させて壁パネル９０２を立てた状態で載置する。次に、防水パンの立上片９０１ｃと壁パネルの起立片９０２ｃとをフック部９０３ｂで挟みながら壁パネル本体９０２ａと起立片９０２ｃとの間に補強部９０３ａを圧入する。そして、ゴムパッキン９０５前方の隙間に防水コーキング材９０６を塗布することにより、防水パン９０１と壁パネル９０２との接合が完了する。
以上より、特許文献１記載の接合構造は、壁パネル９０２の下端面を基準にして防水パン９０１に壁パネル９０２が接合されており、壁パネル９０２の下端面と防水パンの壁パネル載置部９０１ｂとの間に隙間が無い状態となっている。
【０００５】
また、特許文献２には、防水パンのフランジ部に設けられた第１凸部を壁パネル下端部の嵌合溝に嵌合させた防水パンと壁パネルの接合構造が記載されている。この接合構造は、第１凸部よりも背面側となる壁パネルの下縁部と防水パンフランジ部との間にシーリング材が介在し、第１凸部よりも前側となる壁パネルの下縁部と防水パンフランジ部との間に形成される隙間がウエットコーキング材でコーキングされている。従って、特許文献２記載の接合構造は、壁パネルの下端面を基準にして防水パンに壁パネルが接合されており、壁パネルの下端面と防水パンのフランジ部との間に隙間が無い状態となっている。
【０００６】
さらに、特許文献３には、防水パンの壁パネル載置部の上に壁パネルを配置した防水パンと壁パネルの接合構造が記載されている。この接合構造は、パネル板の背面に接着された下フレーム材の下端面が防水パンの壁パネル載置部に載置され、防水パンの壁パネル載置部とパネル板下縁部との間に形成される隙間にシリコーン等の充填材が充填されている。従って、下フレーム材の下端面を基準にして防水パンに壁パネルが接合されており、下フレーム材の下端面と防水パンのフランジ部との間に隙間が無い状態となっている。
【特許文献１】特開２００５−３３６８４７号公報
【特許文献２】特開２００７−１４６３７１号公報
【特許文献３】特開２００３−６４８９５号公報
【発明の開示】
【発明が解決しようとする課題】
【０００７】
特許文献１〜３記載の技術のように壁パネルや下フレーム材の下端面と防水パンの載置部との間に隙間が無い場合、壁パネルの高さ方向の寸法誤差が大きいと設備ユニットを組み立て難くなることがある。
また、設備ユニットを組み立てる際には、設備ユニットとしての意匠性を確保する必要がある。
【０００８】
本発明は、上記課題に鑑みてなされたもので、壁パネルの高さ寸法の精度に影響されずに意匠性の確保された設備ユニットを組み立てることが可能な防水パンと壁パネルの接合構造の提供を目的とする。
【課題を解決するための手段】
【０００９】
上記目的を達成するため、本発明は、防水パンの縁部に壁パネルを立てた状態で接合する防水パンと壁パネルの接合構造であって、前記防水パンの縁部に前記壁パネルの前面よりも背面側となる位置で該壁パネルの下縁部よりも上側へ立ち上がった起立部が設けられ、該起立部よりも前側にある前記壁パネルの下縁部と前記防水パンとの間に高さ方向の隙間を形成する高さで該起立部の上縁部に載置される被載置部が前記壁パネルの背面部に設けられ、前記壁パネルの下縁部の前側を隠蔽する隠蔽部が前記防水パンに設けられていることを特徴とする。
【００１０】
本接合構造では、壁パネルの前面よりも背面側となる位置で壁パネルの下縁部よりも上側へ延出した起立部の上縁部に被載置部が載置される。このとき、起立部よりも前側にある壁パネルの下縁部と防水パンとの間に高さ方向の隙間が形成される。すなわち、壁パネル下端面よりも上側の被載置部を基準にして防水パンに壁パネルが接合されて壁パネル下端面と防水パンとの間に隙間が形成されるので、壁パネルに高さ方向の寸法誤差があっても該寸法誤差が吸収され、設備ユニットを組み立てることができる。
また、防水パンの隠蔽部により、壁パネルの下縁部の前側が隠蔽される。すなわち、壁パネル下端面と防水パンとの間の隙間が隠蔽されるので、設備ユニットとしての意匠性が確保される。
【００１１】
なお、本明細書において、請求項に記載した前後は、設備ユニットの内部から壁パネルを見たときの前後をいうものとする。
上記被載置部は、壁パネルの背面を取り付ける連結部材に設けられてもよいし、壁パネル自体に設けられてもよい。
【発明の効果】
【００１２】
以上説明したように、請求項１に係る発明によれば、壁パネルの高さ寸法の精度に影響されずに意匠性の確保された設備ユニットを組み立てることが可能な防水パンと壁パネルの接合構造を提供することができる。
請求項２に係る発明では、防水パンと壁パネルとの間の止水性を向上させた設備ユニットを容易に組み立てることができる。
【発明を実施するための最良の形態】
【００１３】
図１は本発明の一実施形態に係る防水パンと壁パネルの接合構造１０を採用した浴室ユニット１の要部を示す図、図２（ａ）は断熱材４２の図示を省略して防水パンと壁パネルの接合構造１０を図１のＡ１方向から見て示す垂直断面図、図２（ｂ）及び（ｃ）はシール材の例を図１のＡ１方向に相当する方向から見て示す図、図３（ａ）は略同一平面の内壁を形成する壁パネル４０，４０同士を連結するための平面部用連結部材５０Ａの外観を示す斜視図、図３（ｂ）は内壁の角を形成する壁パネル４０，４０同士を連結するための角部用連結部材５０Ｂの外観を示す斜視図、図３（ｃ）は壁パネル４０の側面を示す図である。
なお、図２（ａ）では、浴室ユニット１の内側となる右側が前側、左側が背面側（後ろ側）となる。
【００１４】
浴室ユニット１は、床部分となる防水パン２０、側面部分となる壁３０、天井部分となる一以上の天井パネル、浴槽、等から構成される。防水パン２０は、上から見たときの形状が略長方形とされ、四辺となる部分が上方へ立ち上がった水返し部分とされている。壁３０は、防水パン２０の四辺となる部分に接合され、浴室ユニット１の内壁を構成している。本実施形態の壁３０は、複数の壁パネル４０を連結部材５０で連結して構成されている。ここで、防水パン２０の同じ辺の部分で左右に隣り合う壁パネル４０，４０は、内壁を略面一にさせる平面部用連結部材５０Ａで連結されている。また、防水パン２０の角の部分で隣り合う壁パネル４０，４０は、内壁を直交させる角部用連結部材５０Ｂで連結されている。各壁パネル４０は、防水パン２０の縁部に立てた状態で接合される。これらの壁パネル４０の上縁部には、天井パネルが接合される。
【００１５】
図２（ａ）に示すように、防水パン２０は、防水パン本体部２１から縁部に向かって立ち上がり部２２が立ち上がり、この立ち上がり部２２の先端部分となる分岐部２２ａから後方へ延出部２３が延出し、この延出部２３の先端部分から上方へ起立部２４が延出している。また、分岐部２２ａからは、隠蔽部２５が上方へ延出している。
【００１６】
防水パン２０の縁部にある起立部２４は、壁パネル４０の前面４０ａよりも背面側となる位置で立ち上がっている。起立部２４は、連結部材５０の下方延出部５４と壁パネル４０との間に挿入している。従って、起立部２４は、壁パネル４０の下縁部４０ｃよりも上側へ立ち上がっていることになる。
隠蔽部２５は、壁パネルの前面４０ａよりも前側となる位置で立ち上がり、起立部２４との間に壁パネルの下縁部４０ｃを挿入させている。従って、隠蔽部２５は、壁パネルの下縁部４０ｃよりも上側へ立ち上がり、壁パネルの下縁部４０ｃの前側を隠蔽することとなる。また、隠蔽部２５の背面には、浴室ユニット１内の湯水が外部へ漏れないように防水するため、壁パネルの前面４０ａと接触するシール材６０が取り付けられている。
【００１７】
壁パネル４０は、本体部分が合成樹脂や金属等で平板状に形成されている。この本体部分は、異なる複数の部材で形成されてもよい。壁パネル４０の背面４０ｂには、図３（ｃ）に示すような平板状の断熱材４２が設けられることがある。本実施形態の壁パネル４０の背面４０ｂには、左右の縁部にそれぞれ接続部材４４が上下に間隔を空けて複数取り付けられている。各接続部材４４は、壁パネルの背面４０ｂから後方へ突出し、先端部が大きくされている。
【００１８】
連結部材５０Ａ，５０Ｂは、金属等で形成され、長手方向を上下に向けて防水パン２０の縁部に配置される。平面部用連結部材５０Ａは、水平断面が略コ字状に形成されている。角部用連結部材５０Ｂは、浴室ユニット内壁の角部分となる折曲部５１ａを中心として９０°異なる向きの前面５０ａ，５０ａを有する左右の連結部５１ｂ，５１ｃを備える形状とされている。両連結部材５０Ａ，５０Ｂの下部は、前側、すなわち、浴室ユニット１の内側となる部分を切り欠いて防水パン起立部２４の上縁部２４ａに載置されるようにした被載置部５２が形成されている。連結部材５０Ａ，５０Ｂの下部において被載置部５２よりも背面側となる部分は、下方へ延出した下方延出部５４とされている。
【００１９】
平面部用連結部材５０Ａの前面５０ａには、左右に隣り合う壁パネル４０，４０に取り付けられた接続部材４４の位置に合わせて複数の長穴５６が上下に間隔を空けて左右２列形成されている。角部用連結部材５０Ｂの各連結部５１ｂ，５１ｃの前面５０ａ，５０ａには、連結される壁パネル４０，４０に取り付けられた接続部材４４の位置に合わせて複数の長穴５６が上下に間隔を空けて１列ずつ形成されている。各長穴５６は、上部が接続部材４４全体を貫通させる大きさに形成され、下部が接続部材４４の先端部を通過させずに接続部材４４の残りの部分を通す大きさに形成されている。従って、長穴５６の上部に接続部材４４の先端部を通過させ、壁パネル４０を下げると、接続部材４４が連結部材５０Ａ，５０Ｂに掛止され、連結部材５０Ａ，５０Ｂに対して壁パネル４０が所定範囲内で上下方向へ移動可能に取り付けられる。そして、壁パネル４０の背面部に連結部材の被載置部５２が設けられる。
【００２０】
連結部材５０を介して壁パネル４０，４０が連結されて壁３０が形成されると、図２（ａ）に示すように、連結部材の下方延出部５４と壁パネル４０の下部との間に防水パン起立部２４の厚みに合わせた間隔の溝が形成され、この溝に防水パン起立部２４が挿入される。すなわち、防水パン起立部２４は、連結部材の下方延出部５４と壁パネル４０の下部とに挟まれた状態で被載置部５２を載置する。これにより、壁３０の下部が前後方向に位置決めされる。また、被載置部５２を有する連結部材５０と壁パネル４０とで防水パン起立部２４を挟む構造とすることにより、壁パネル４０の構造を簡素化することができる。
【００２１】
防水パン起立部２４の上縁部２４ａに載置される被載置部５２は、壁パネルの下縁部４０ｃと防水パン延出部２３との間に高さ方向Ｄ１の隙間ＣＬ１を形成する高さとされている。ここで、防水パン延出部２３の上面から防水パン起立部の上縁部２４ａまでの長さをＬ１、該上縁部２４ａに載置された被載置部５２から壁パネルの下縁部４０ｃまでの長さをＬ２とすると、Ｌ１＞Ｌ２とされ、隙間ＣＬ１の高さ方向Ｄ１の間隔がＬ１−Ｌ２となる。従って、防水パン起立部の上縁部２４ａに被載置部５２が載置されると、防水パン起立部２４よりも前側にある壁パネルの下縁部４０ｃと防水パン２０との間に高さ方向の隙間ＣＬ１が形成される。
また、防水パン延出部２３の上面から隠蔽部２５の上縁部２５ａまでの長さは、隙間ＣＬ１の高さ方向の間隔Ｌ１−Ｌ２よりも長くされている。これにより、隠蔽部の上縁部２５ａが壁パネルの下縁部４０ｃよりも上側となるので、壁パネルの下縁部４０ｃの前側が隠蔽部２５により隠蔽される。
なお、連結部材５０の下縁部５０ｃは、防水パン２０に載置されない。図示の下縁部５０ｃは、壁パネルの下縁部４０ｃよりも若干上側とされているが、壁パネルの下縁部４０ｃと同じ高さとされてもよいし、防水パン２０等に載置されない限り壁パネルの下縁部４０ｃよりも若干下側とされてもよい。
【００２２】
隠蔽部２５の背面に取り付けられるシール材６０には、図２（ｂ），（ｃ）に示すシール材６１，６２等を用いることができる。図２（ｂ）に示すシール材６１は、エラストマー６１ａに両面テープ６１ｂを接着した構造とされている。このシール材６１の両面テープ６１ｂを隠蔽部２５の背面に接着し、隠蔽部２５と防水パン起立部２４との間に壁パネル４０を挿入すると、エラストマー６１ａが壁パネルの前面４０ａと接触して壁パネル４０と隠蔽部２５との間をシールする。図２（ｃ）に示すシール材６２は、軟質エラストマーのひれ部６２ｃを有する硬質エラストマーの内部層６２ａと軟質エラストマーの表面層６２ｂからなる２色成形品に両面テープ６２ｄを接着した構造とされている。このシール材６２の両面テープ６２ｄを隠蔽部２５の背面に接着し、隠蔽部２５と防水パン起立部２４との間に壁パネル４０を挿入すると、ひれ部６２ｃが壁パネルの前面４０ａと接触して隠蔽部２５の方へ押圧されて壁パネル４０と隠蔽部２５との間をシールする。
【００２３】
なお、エラストマーに自己接着性のある材料を使用する場合、両面テープを使用しないでシール材を隠蔽部２５に接着することができる。
上述したシール材６０を隠蔽部２５の背面に取り付けておくことにより、防水パン２０と壁パネル４０との間の止水性を向上させた浴室ユニット１を容易に組み立てることができる。
【００２４】
以上の構成を有する防水パンと壁パネルの接合構造１０は、例えば、以下のようにして形成される。
まず、防水パン隠蔽部２５の背面に、シール材６０を取り付ける。次に、図４に示すようにして、防水パン２０の縁部に壁パネル４０を立てた状態で接合していく。
図４（ａ）に示す組み立て方法では、まず、壁パネル４０に接続部材４４を取り付けておく。また、防水パン２０の縁部に連結部材５０Ａ，５０Ｂを設置する。このとき、連結部材の被載置部５２を防水パン起立部２４の上縁部に載置する。次に、連結部材の長穴５６に接続部材４４を挿入し、壁パネル４０を下げて下縁部４０ｃを防水パン起立部２４と防水パン隠蔽部２５との間に挿入する。これにより、連結部材５０Ａ，５０Ｂに壁パネル４０が取り付けられ、壁パネルの下縁部４０ｃと防水パン２０との間に生じる隙間ＣＬ１が隠蔽された接合構造１０が形成される。
【００２５】
図４（ｂ）に示す組み立て方法では、まず、壁パネル４０に接続部材４４を取り付け、接続部材４４を連結部材５０の長穴５６に挿入して、連結部材５０を壁パネル４０に取り付ける。次に、これら壁パネル４０及び連結部材５０の下部に形成された溝に防水パン起立部２４を挿入するとともに壁パネルの下縁部４０ｃを防水パン起立部２４と防水パン隠蔽部２５との間に挿入し、被載置部５２を防水パン起立部２４の上縁部に載置する。これにより、壁パネルの下縁部４０ｃと防水パン２０との間に生じる隙間ＣＬ１が隠蔽された接合構造１０が形成される。
【００２６】
以下、本接合構造１０の作用、効果を説明する。
壁パネル４０の背面部に設けられた被載置部５２が防水パン起立部の上縁部２４ａに載置されると、防水パン起立部２４よりも前側にある壁パネルの下縁部４０ｃと防水パン２０との間に高さ方向の隙間ＣＬ１が形成される。すなわち、防水パン２０と壁パネル４０の接合は、壁パネル４０の下端面が基準となる訳ではなく、壁パネル４０下端面よりも上側の被載置部５２が基準となる。すると、壁パネル４０の高さ方向の寸法誤差が大きくても、該寸法誤差が隙間ＣＬ１により吸収される。また、温度変化により壁パネル４０が膨張収縮しても、この膨張収縮が隙間ＣＬ１により吸収される。このように、壁パネル４０の下端面と防水パン２０との間に隙間ＣＬ１があるので、壁パネル４０の高さ方向の寸法誤差が大きくても容易に浴室ユニット１を組み立てることができる。
【００２７】
また、防水パン隠蔽部２５により、壁パネルの下縁部４０ｃの前側が隠蔽される。すなわち、壁パネル４０の下端面と防水パン２０との間の隙間ＣＬ１が隠蔽されるので、浴室ユニット１としての意匠性が確保される。
従って、本接合構造１０は、壁パネル４０の高さ寸法の精度に影響されずに意匠性の確保された浴室ユニット１を組み立てることが可能となる。
【００２８】
さらに、連結部材５０に対して壁パネル４０が所定範囲内で上下方向へ移動可能に取り付けられているので、壁パネル４０が膨張収縮しても反り難くされている。
【００２９】
ところで、防水パンと壁パネルの接合構造を設ける設備ユニットは、浴室ユニット以外にも、シャワー室ユニット等でもよい。
また、本発明の防水パンと壁パネルの接合構造は、種々の変形例が考えられる。
【００３０】
図５（ａ）に示すように、水返し部分の無い防水パン１２０と壁パネル４０の組み合わせにも接合構造１１０を設けることができる。図示の防水パン１２０は、壁パネル４０の下部を挿入するための溝１２３が縁部近傍に形成され、この溝１２３の背面側に上方へ延出した起立部１２４が設けられ、同溝１２３の前側に隠蔽部１２５が設けられている。防水パン１２０の縁部に設けられた起立部１２４は、壁パネルの前面４０ａよりも背面側となる位置で壁パネルの下縁部４０ｃよりも上側へ立ち上がっている。壁パネル４０の背面部に設けられた被載置部５２は、防水パン起立部１２４よりも前側にある壁パネルの下縁部４０ｃと防水パン１２０との間に高さ方向の隙間ＣＬ２を形成する高さで防水パン起立部１２４の上縁部に載置される。壁パネル４０の下縁部４０ｃが溝１２３に挿入されるので、隠蔽部１２５は、上縁部が壁パネルの下縁部４０ｃよりも上側となり、壁パネルの下縁部４０ｃの前側を隠蔽する。
本接合構造１１０も、隠蔽部１２５に隠蔽された隙間ＣＬ２が壁パネル４０の下端面と防水パン１２０との間にあるので、壁パネル４０の高さ寸法の精度に影響されずに意匠性の確保された設備ユニットを組み立てることが可能となる。
【００３１】
また、図５（ｂ）に示す接合構造２１０のように、壁パネル２４０の背面部に被載置部２４６を設けてもよい。本変形例の壁は、複数の壁パネル２４０を連結部材２５０で連結して構成されている。壁パネル２４０の下部は、背面側となる部分を切り欠いて防水パン起立部２４の上縁部２４ａに載置されるようにした被載置部２４６が形成されている。壁パネル２４０の下部において被載置部２４６よりも前側となる部分は、下方へ延出した下方延出部２４１とされている。連結部材２５０を介して壁パネル２４０，２４０が連結されて壁が形成されると、壁パネルの下方延出部２４１と連結部材２５０の下部との間に防水パン起立部２４の厚みに合わせた間隔の溝が形成され、この溝に防水パン起立部２４が挿入される。すなわち、防水パン起立部２４は、壁パネル２４０の前面２４０ａよりも背面側となる位置で壁パネル２４０の下縁部２４０ｃよりも上側へ立ち上がっていることになる。
【００３２】
また、防水パン起立部の上縁部２４ａに載置される被載置部２４６は、防水パン起立部２４よりも前側にある壁パネル２４０の下縁部２４０ｃと防水パン２０との間に高さ方向の隙間ＣＬ３を形成する高さとされている。隠蔽部２５は、上縁部が壁パネルの下縁部２４０ｃよりも上側となり、壁パネルの下縁部２４０ｃの前側を隠蔽する。
本接合構造２１０も、隠蔽部２５に隠蔽された隙間ＣＬ３が壁パネル２４０の下端面と防水パン２０との間にあるので、壁パネル２４０の高さ寸法の精度に影響されずに意匠性の確保された設備ユニットを組み立てることが可能となる。
【００３３】
なお、本発明は、上述した実施形態や変形例に限られず、上述した実施形態および変形例の中で開示した各構成を相互に置換したり組み合わせを変更したりした構成、公知技術並びに上述した実施形態および変形例の中で開示した各構成を相互に置換したり組み合わせを変更したりした構成、等も含まれる。
【図面の簡単な説明】
【００３４】
【図１】防水パンと壁パネルの接合構造を採用した浴室ユニットの要部を示す図。
【図２】防水パンと壁パネルの接合構造及び該接合構造に用いられるシール材を示す図。
【図３】連結部材及び壁パネルを示す図。
【図４】浴室ユニットを組み立てる様子を示す図。
【図５】防水パンと壁パネルの接合構造の変形例を示す垂直断面図。
【図６】防水パンと壁パネルの接合構造の従来例を示す垂直断面図。
【符号の説明】
【００３５】
１…浴室ユニット、
１０，１１０，２１０…防水パンと壁パネルの接合構造、
２０，１２０…防水パン、２１…防水パン本体部、
２２…立ち上がり部、２３…延出部、２４，１２４…起立部、２５，１２５…隠蔽部、
３０…壁、
４０，２４０…壁パネル、４０ａ…前面、４０ｂ…背面、４０ｃ…下縁部、
４２…断熱材、４４…接続部材、
５０，５０Ａ，５０Ｂ，２５０…連結部材、５０ａ…前面、５０ｃ…下縁部、
５２，２４６…被載置部、５４…下方延出部、５６…長穴、
６０，６１，６２…シール材、
ＣＬ１，ＣＬ２，ＣＬ３…隙間、
Ｄ１…高さ方向、
【図１】
2010070920.tif 000003
【図２】
2010070920.tif 000004
【図３】
2010070920.tif 000005
【図４】
2010070920.tif 000006
【図５】
2010070920.tif 000007
【図６】
2010070920.tif 000008